(57)【要約】【課題】端末装置に、操作性のよい、画像形成装置の遠隔操作用の操作画面を表示させることができる表示制御装置を提供する。【解決手段】表示制御装置は、端末装置が片手で把持されているか両手で把持されているかの把持状況を検知する（ステップＳ１０３）。さらに、表示対象の操作画面が、第１の画面と第２の画面とが関連付けられている、特定の操作画面であるか否かを判断する（ステップＳ１０５）。表示対象の操作画面が特定の操作画面であった場合に、表示制御装置は、端末装置の把持状況に応じて、関連付けられた第１の画面と第２の画面とのうちのいずれか一方の画面の表示データを読み出して端末装置に表示する（ステップＳ１０７）。【選択図】図１８
2014138235.tif 000002
【特許請求の範囲】
【請求項１】
画像形成装置の操作画面を端末装置に表示させるための制御を行なう表示制御装置であって、
前記画像形成装置の操作画面の表示データを記憶する記憶装置から、前記表示データを読み出すための読出手段と、
前記表示データを用いて操作画面を前記端末装置に表示させるための表示手段と、
前記端末装置が片手で把持されているか両手で把持されているかの把持状況を検知するための検知手段と、
前記操作画面が、関連付けられた第１の画面と第２の画面とが前記記憶装置に記憶されている、特定の操作画面であるか否かを判断するための第１の判断手段とを備え、
前記読出手段は、前記操作画面が前記特定の操作画面であった場合に、前記端末装置の把持状況に応じて、関連付けられた前記第１の画面と前記第２の画面とのうちのいずれか一方の画面の表示データを読み出す、表示制御装置。
【請求項２】
前記第１の画面は前記画像形成装置の操作画面であって操作入力を行なう項目を含む操作画面であり、前記第２の画面は前記第１の画面に関連した内容を表示する画面であって前記第１の画面よりも操作入力を行なう項目の少ない画面であり、
前記読出手段は、前記端末装置が片手で把持されているときには前記第１の画面の表示データを読み出し、両手で把持されているときには第２の画面の表示データを読み出す、請求項１に記載の表示制御装置。
【請求項３】
前記表示手段は、前記特定の操作画面を表示中に前記把持状況が変化したときに、前記端末装置の表示を、前記第１の画面と前記第２の画面との間で前記把持状況に応じて切り替える、請求項２に記載の表示制御装置。
【請求項４】
前記画像形成装置が、予め規定されている状態であるか否かを判断するための第２の判断手段をさらに備え、
前記読出手段は、前記画像形成装置が前記予め規定されている状態であった場合に、前記端末装置の把持状況に応じて、前記第１の画面と前記第２の画面とのうちのいずれか一方の画面、または、前記予め規定されている状態に関連付けて前記記憶装置に記憶されている第３の画面の、いずれか１つの画面の表示データを読み出す、請求項１〜３のいずれかに記載の表示制御装置。
【請求項５】
前記第３の画面は、前記画像形成装置の状態を報知する画面であり、
前記読出手段は、前記端末装置が両手で把持され、かつ、前記画像形成装置が前記予め規定されている状態であるときに、前記第２の画面または前記第３の画面の表示データを読み出す、請求項４に記載の表示制御装置。
【請求項６】
前記端末装置が両手で把持され、かつ、前記画像形成装置が前記予め規定されている状態であるときに、前記読出手段は、前記第２の画面と前記第３の画面とのうちの、予め設定されたルールに従う方法でいずれか一方の画面の表示データを読み出す、請求項４または５に記載の表示制御装置。
【請求項７】
前記表示手段は、前記操作画面を表示中に前記画像形成装置の状態が変化したときに、前記端末装置の表示を、前記第１の画面または前記第２の画面と前記第３の画面との間で前記画像形成装置の状態に応じて切り替える、請求項５または６に記載の表示制御装置。
【請求項８】
前記表示手段での前記端末装置の表示の切り替えを行なうか否かの設定を受け付けるための設定手段をさらに備える、請求項３または７に記載の表示制御装置。
【請求項９】
前記設定手段は、前記画像形成装置の前記操作画面ごとに、前記表示手段での前記端末装置の表示の切り替えを行なうか否かの設定を受け付ける、請求項８に記載の表示制御装置。
【請求項１０】
前記表示手段は、前記端末装置の表示の先の切り替えから規定された時間内に前記把持状況が変化した場合であっても、前記端末装置の表示の切り替えを行なわない、請求項３に記載の表示制御装置。
【請求項１１】
前記第１の画面および前記第２の画面の組み合わせは、
文書プレビュー画面および全画面プレビュー画面と、
ジョブ設定画面およびジョブ設定内容表示画面と、
宛先設定画面および宛先設定内容表示画面と、
ジョブリスト画面および選択ジョブの内容表示画面と、
ジョブ履歴画面および選択ジョブ履歴の内容表示画面と、
記憶領域内文書画面および選択文書の設定内容表示画面と、
宛先選択画面および選択宛先表示画面と、
メンテナンス画面およびメンテナンス情報内容表示画面と、のうちのいずれかである、請求項１〜１０のいずれかに記載の表示制御装置。
【請求項１２】
前記予め規定されている状態および前記第３の画面の組み合わせは、
原稿読取状態および読取原稿のプレビュー画面と、
トラブル発生状態およびトラブル対処画面と、のうちのいずれかである、請求項４〜９のいずれかに記載の表示制御装置。
【請求項１３】
請求項１〜１２のいずれかに記載の表示制御装置を搭載した画像形成装置であって、
前記端末装置に対して操作画面の表示データを送信するための送信手段と、
前記端末装置から、表示された操作画面に対する操作に関する情報を受信し、前記表示された操作画面と前記操作とから特定される処理を実行することで前記操作画面を更新するための処理手段とをさらに備え、
前記送信手段は、前記更新後の操作画面が前記特定の操作画面である場合、前記特定の操作画面の表示データとして、関連付けられた前記第１の画面と前記第２の画面との表示データを前記端末装置に対して送信する、画像形成装置。
【請求項１４】
前記送信手段は、予め規定されている状態となったときに、前記端末装置に対して前記状態に関連して記憶されている第３の画面の表示データを送信する、請求項１３に記載の画像形成装置。
【請求項１５】
請求項１〜１２のいずれかに記載の表示制御装置を搭載した端末装置であって、
前記画像形成装置から操作画面の表示データを受信し、前記記憶装置に格納するための取得手段と、
前記端末装置に表示された操作画面に対する操作入力を受け付けるための指示手段と、
前記操作入力に関する情報を前記画像形成装置に対して送信するための送信手段とをさらに備え、
前記表示手段によって表示された前記第１の画面と前記第２の画面とのうちの一方の画面に対する前記操作入力に従って前記一方の画面が更新された場合に、前記一方の画面に関連付けられて前記記憶装置に記憶されている他方の画面の表示データであって、前記更新に対応した更新後の表示データを前記画像形成装置に対して要求する、端末装置。
【請求項１６】
画像形成装置の操作画面を端末装置に表示させる方法であって、
前記端末装置が片手で把持されているか両手で把持されているかの把持状況を検知するステップと、
前記画像形成装置の表示対象の操作画面が、前記画像形成装置の操作画面の表示データを記憶する記憶装置に、関連付けられた第１の画面と第２の画面とが記憶されている、特定の操作画面であるか否かを判断するステップと、
前記表示対象の操作画面が前記特定の操作画面であった場合に、前記端末装置の把持状況に応じて、関連付けられた前記第１の画面と前記第２の画面とのうちのいずれか一方の画面の表示データを前記記憶装置から読み出して前記端末装置に表示するステップとを備える、表示方法。
【請求項１７】
コンピューターに画像形成装置の操作画面を端末装置に表示する処理を実行させて、表示制御装置として機能させるためのプログラムであって、
前記端末装置が片手で把持されているか両手で把持されているかの把持状況を検知するステップと、
前記画像形成装置の表示対象の操作画面が、前記画像形成装置の操作画面の表示データを記憶する記憶装置に、関連付けられた第１の画面と第２の画面とが記憶されている、特定の操作画面であるか否かを判断するステップと、
前記表示対象の操作画面が前記特定の操作画面であった場合に、前記端末装置の把持状況に応じて、関連付けられた前記第１の画面と前記第２の画面とのうちのいずれか一方の画面の表示データを前記記憶装置から読み出して前記端末装置に表示するステップとを前記コンピューターに実行させる、表示制御プログラム。
【発明の詳細な説明】
【技術分野】
【０００１】
この発明は表示制御装置、画像形成装置、端末装置、表示方法、および表示制御プログラムに関し、特に、画像形成装置の遠隔操作用の操作画面を端末装置に表示するための表示制御装置、画像形成装置、端末装置、表示方法、および表示制御プログラムに関する。
【背景技術】
【０００２】
プリンターやコピー機やこれらの複合機であるＭＦＰ（Multi-Functional  Peripheral）などの画像形成装置に備えられたディスプレイに表示する操作パネルを画像として端末装置に送信して操作パネルを表示し、該端末装置から遠隔で画像形成装置の操作を可能とする機能が知られている。この機能は、リモートパネル機能などと呼ばれる。
【０００３】
上記端末装置には、携帯電話機や専用機など、ユーザーが携帯可能なサイズの装置が用いられる。携帯可能なサイズの端末装置の操作性は、端末装置の持ち方に関わることがある。
【０００４】
たとえば、特開２０１２−１２８６５２号公報（以下、特許文献１）は、タッチパネルを有する携帯端末のディスプレイにキーを円弧状に配列することで、片手で端末装置を保持した状態で当該片手で操作し易くする技術を開示している。また、特開２０１２−５８９１０号公報（以下、特許文献２）は、端末装置の把持の仕方を検知して片手で把持しながら操作を行なうための片手操作モードと、一方の手で把持して他方の手で操作を行なう両手を用いた操作のための両手操作モードとを切り替える技術を開示している。また、特開２０１１−２８６０３号公報（以下、特許文献３）は、タッチパネルを有する端末装置の把持の仕方を検知して、片手で把持していると検知された場合にタッチ操作を無効とする領域を確保する技術を開示している。
【先行技術文献】
【特許文献】
【０００５】
【特許文献１】特開２０１２−１２８６５２号公報
【特許文献２】特開２０１２−５８９１０号公報
【特許文献３】特開２０１１−２８６０３号公報
【発明の概要】
【発明が解決しようとする課題】
【０００６】
リモートパネル機能では、端末装置を用いて画像形成装置を遠隔操作するため、携帯電話機よりもサイズ・重量の大きい端末装置が用いられることがある。そのため、リモートパネル機能では、操作の必要なときには片手で把持し、表示内容を確認するときには両手で把持する、という使い方がなされることがある。このとき、持ち方に応じて表示される画面を切り替える操作を必要とすると、操作性が損なわれてしまう場合がある。
【０００７】
本発明はこのような問題に鑑みてなされたものであって、画像形成装置の遠隔操作用の操作画面であって、操作性のよい操作画面を他の装置に表示することができる表示制御装置、画像形成装置、端末装置、表示方法、および表示制御プログラムを提供することを目的としている。
【課題を解決するための手段】
【０００８】
上記目的を達成するために、本発明のある局面に従うと、表示制御装置は画像形成装置の操作画面を端末装置に表示させるための制御を行なう表示制御装置であって、画像形成装置の操作画面の表示データを記憶する記憶装置から表示データを読み出すための読出手段と、表示データを用いて操作画面を端末装置に表示させるための表示手段と、端末装置が片手で把持されているか両手で把持されているかの把持状況を検知するための検知手段と、操作画面が、関連付けられた第１の画面と第２の画面とが記憶装置に記憶されている、特定の操作画面であるか否かを判断するための第１の判断手段とを備える。読出手段は、操作画面が特定の操作画面であった場合に、端末装置の把持状況に応じて、関連付けられた第１の画面と第２の画面とのうちのいずれか一方の画面の表示データを読み出す。
【０００９】
好ましくは、第１の画面は画像形成装置の操作画面であって操作入力を行なう項目を含む操作画面であり、第２の画面は第１の画面に関連した内容を表示する画面であって第１の画面よりも操作入力を行なう項目の少ない画面であり、読出手段は、端末装置が片手で把持されているときには第１の画面の表示データを読み出し、両手で把持されているときには第２の画面の表示データを読み出す。
【００１０】
より好ましくは、表示手段は、特定の操作画面を表示中に把持状況が変化したときに、端末装置の表示を、第１の画面と第２の画面との間で把持状況に応じて切り替える。
【００１１】
好ましくは、表示制御装置は、画像形成装置が予め規定されている状態であるか否かを判断するための第２の判断手段をさらに備え、読出手段は、画像形成装置が予め規定されている状態であった場合に、端末装置の把持状況に応じて、第１の画面と第２の画面とのうちのいずれか一方の画面、または、予め規定されている状態に関連付けて記憶装置に記憶されている第３の画面の、いずれか１つの画面の表示データを読み出す。
【００１２】
より好ましくは、第３の画面は画像形成装置の状態を報知する画面であり、読出手段は、端末装置が両手で把持され、かつ、画像形成装置が予め規定されている状態であるときに、第２の画面または第３の画面の表示データを読み出す。
【００１３】
好ましくは、端末装置が両手で把持され、かつ、画像形成装置が予め規定されている状態であるときに、読出手段は、第２の画面と第３の画面とのうちの、予め設定されたルールに従う方法でいずれか一方の画面の表示データを読み出す。
【００１４】
好ましくは、表示手段は、操作画面を表示中に画像形成装置の状態が変化したときに、端末装置の表示を、第１の画面または第２の画面と第３の画面との間で画像形成装置の状態に応じて切り替える。
【００１５】
好ましくは、表示制御装置は、表示手段での端末装置の表示の切り替えを行なうか否かの設定を受け付けるための設定手段をさらに備える。
【００１６】
より好ましくは、設定手段は、画像形成装置の操作画面ごとに、表示手段での端末装置の表示の切り替えを行なうか否かの設定を受け付ける。
【００１７】
好ましくは、表示手段は、端末装置の表示の先の切り替えから規定された時間内に把持状況が変化した場合であっても、端末装置の表示の切り替えを行なわない。
【００１８】
好ましくは、第１の画面および第２の画面の組み合わせは、（１）文書プレビュー画面および全画面プレビュー画面と、（２）ジョブ設定画面およびジョブ設定内容表示画面と、（３）宛先設定画面および宛先設定内容表示画面と、（４）ジョブリスト画面および選択ジョブの内容表示画面と、（５）ジョブ履歴画面および選択ジョブ履歴の内容表示画面と、（６）記憶領域内文書画面および選択文書の設定内容表示画面と、（７）宛先選択画面および選択宛先表示画面と、（８）メンテナンス画面およびメンテナンス情報内容表示画面と、のうちのいずれかである。
【００１９】
好ましくは、上記予め規定されている状態および第３の画面の組み合わせは、（１）原稿読取状態および読取原稿のプレビュー画面と、（２）トラブル発生状態およびトラブル対処画面と、のうちのいずれかである。
【００２０】
本発明の他の局面に従うと、画像形成装置は上記の表示制御装置を搭載した画像形成装置であって、端末装置に対して操作画面の表示データを送信するための送信手段と、端末装置から、表示された操作画面に対する操作に関する情報を受信し、表示された操作画面と操作とから特定される処理を実行することで操作画面を更新するための処理手段とをさらに備え、送信手段は、更新後の操作画面が特定の操作画面である場合、特定の操作画面の表示データとして、関連付けられた第１の画面と第２の画面との表示データを端末装置に対して送信する。
【００２１】
好ましくは、送信手段は、予め規定されている状態となったときに、端末装置に対して当該状態に関連して記憶されている第３の画面の表示データを送信する。
【００２２】
本発明のさらに他の局面に従うと、端末装置は上記の表示制御装置を搭載した端末装置であって、画像形成装置から操作画面の表示データを受信し、記憶装置に格納するための取得手段と、端末装置に表示された操作画面に対する操作入力を受け付けるための指示手段と、操作入力に関する情報を画像形成装置に対して送信するための送信手段とをさらに備え、表示手段によって表示された第１の画面と第２の画面とのうちの一方の画面に対する操作入力に従って一方の画面が更新された場合に、一方の画面に関連付けられて記憶装置に記憶されている他方の画面の表示データであって、更新に対応した更新後の表示データを画像形成装置に対して要求する。
【００２３】
本発明のさらに他の局面に従うと、表示方法は画像形成装置の操作画面を端末装置に表示させる方法であって、端末装置が片手で把持されているか両手で把持されているかの把持状況を検知するステップと、画像形成装置の表示対象の操作画面が、画像形成装置の操作画面の表示データを記憶する記憶装置に、関連付けられた第１の画面と第２の画面とが記憶されている、特定の操作画面であるか否かを判断するステップと、表示対象の操作画面が特定の操作画面であった場合に、端末装置の把持状況に応じて、関連付けられた第１の画面と第２の画面とのうちのいずれか一方の画面の表示データを記憶装置から読み出して端末装置に表示するステップとを備える。
【００２４】
本発明のさらに他の局面に従うと、表示制御プログラムはコンピューターに画像形成装置の操作画面を端末装置に表示する処理を実行させて、表示制御装置として機能させるためのプログラムであって、端末装置が片手で把持されているか両手で把持されているかの把持状況を検知するステップと、画像形成装置の表示対象の操作画面が、画像形成装置の操作画面の表示データを記憶する記憶装置に、関連付けられた第１の画面と第２の画面とが記憶されている、特定の操作画面であるか否かを判断するステップと、表示対象の操作画面が特定の操作画面であった場合に、端末装置の把持状況に応じて、関連付けられた第１の画面と第２の画面とのうちのいずれか一方の画面の表示データを記憶装置から読み出して端末装置に表示するステップとをコンピューターに実行させる。
【発明の効果】
【００２５】
この発明によると、端末装置などの制御装置に、操作性のよい、画像形成装置の遠隔操作用の操作画面を表示させることができ、ユーザーの操作効率を格段に向上させることができる。
【図面の簡単な説明】
【００２６】
【図１】実施の形態にかかる画像処理システムの構成の具体例を示す図である。
【図２】画像処理システムに含まれるＭＦＰ（Multi-Functional  Peripheral）のハードウェア構成の具体例を示す図である。
【図３】画像処理システムに含まれる端末装置のハードウェア構成の具体例を示す図である。
【図４】画像処理システムでのリモートパネル動作の流れを表わす図である。
【図５】第１の実施の形態にかかる表示制御を説明するための図である。
【図６】第１の画面である画面Ａおよび第２の画面である画面ａの組み合わせの具体例を表わした図である。
【図７】第１の画面である画面Ａおよび第２の画面である画面ａの組み合わせの具体例を表わした図である。
【図８】第１の画面である画面Ａおよび第２の画面である画面ａの組み合わせの具体例を表わした図である。
【図９】第１の画面である画面Ａおよび第２の画面である画面ａの組み合わせの具体例を表わした図である。
【図１０】第１の画面である画面Ａおよび第２の画面である画面ａの組み合わせの具体例を表わした図である。
【図１１】第１の画面である画面Ａおよび第２の画面である画面ａの組み合わせの具体例を表わした図である。
【図１２】第１の画面である画面Ａおよび第２の画面である画面ａの組み合わせの具体例を表わした図である。
【図１３】第１の画面である画面Ａおよび第２の画面である画面ａの組み合わせの具体例を表わした図である。
【図１４】第１の画面である画面Ａおよび第２の画面である画面ａの組み合わせの具体例を表わした図である。
【図１５】第１の画面である画面Ａおよび第２の画面である画面ａの組み合わせの具体例を表わした図である。
【図１６】第１の画面である画面Ａおよび第２の画面である画面ａの組み合わせの具体例を表わした図である。
【図１７】表示制御装置としての端末装置の機能構成の具体例を示すブロック図である。
【図１８】第１の実施の形態にかかる表示制御の流れを表わすフローチャートである。
【図１９】第２の実施の形態にかかる表示制御の流れを表わすフローチャートである。
【図２０】第２の実施の形態にかかる表示制御の流れの他の例を表わすフローチャートである。
【図２１】第３の画面の具体例を表わした図である。
【図２２】第３の画面の具体例を表わした図である。
【図２３】第３の実施の形態にかかる表示制御の流れを表わすフローチャートである。
【図２４】第３の実施の形態にかかる表示制御の流れを表わすフローチャートである。
【図２５】第３の実施の形態にかかる表示制御の流れを表わすフローチャートである。
【図２６】表示画面を切り替えの可否を設定するための設定画面の具体例を表わした図である。
【図２７】表示制御の流れの他の例を表わすフローチャートである。
【図２８】表示画面を切り替えの可否を設定するための設定画面の具体例を表わした図である。
【図２９】表示制御の流れの他の例を表わすフローチャートである。
【図３０】ＭＦＰでの表示データを送信する動作の流れを表わすフローチャートである。
【図３１】ＭＦＰでの表示データを送信する動作の流れを表わすフローチャートである。
【図３２】ＭＦＰでの表示データを送信する動作の流れの他の例を表わすフローチャートである。
【図３３】端末装置の表示を切り替える動作の流れを表わしたフローチャートである。
【図３４】表示の切り替え間隔を設定するための設定画面の具体例を表わした図である。
【図３５】表示の切り替え間隔を説明するための図である。
【図３６】端末装置の表示を切り替える動作の流れを表わしたフローチャートである。
【図３７】画像処理システムでの、表示データを更新するための動作の流れを表わすフローチャートである。
【発明を実施するための形態】
【００２７】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２８】
＜システム構成＞
図１は、本実施の形態にかかる画像処理システムの構成の具体例を示す図である。
【００２９】
図１を参照して、画像処理システムは、画像形成装置の一例としてのＭＦＰ（Multi-Functional  Peripheral）１００と、端末装置２００とを含む。これらは、ネットワークで電気的に接続されている。
【００３０】
端末装置２００はＭＦＰ１００と通信可能であって、操作画面の表示およびユーザーからの指示入力が可能であって、携帯可能なサイズの装置であればどのような装置であってもよい。端末装置２００としては、たとえば携帯電話機やタブレット型端末装置や小型コンピューターなどが該当する。
【００３１】
画像処理装置はＭＦＰに限定されず、プリンターやファクシミリ送受信機やコピー機などのその他の装置であってもよい。ＭＦＰ１００は、これら機能を複合的に備えた画像処理装置である。
【００３２】
ネットワークは、たとえばＬＡＮ（Local  Area  Network）などが該当する。一例として、端末装置２００はネットワークに無線接続され、ＭＦＰ１００は無線または有線にてネットワークに接続される。
【００３３】
＜装置構成＞
図２は、ＭＦＰ１００のハードウェア構成の具体例を示す図である。
【００３４】
図２を参照して、ＭＦＰ１００は、全体を制御するための演算装置であるＣＰＵ（Central  Processing  Unit）１０と、メモリーとして機能する、ＣＰＵ１０で実行されるプログラムなどを記憶するためのＲＯＭ（Read  Only  Memory）１１、ＣＰＵ１０でプログラムを実行する際の作業領域として機能するためのＲＡＭ（Random  Access  Memory）１２、および画像データなどを保存するためのＨＤ（ハードディスク）１６と、図示しない原稿台に載置された原稿を光学的に読み取って画像データを得るためのスキャナー１３と、画像データを印刷用紙上に固定するためのプリンター１４と、情報を表示したり当該ＭＦＰ１００に対する操作入力を受け付けたりするためのタッチパネルを含んだ操作パネル１５と、ネットワーク３００を介した通信の制御するためのネットワークコントローラー１７とを含む。
【００３５】
図３は、端末装置２００のハードウェア構成の具体例を示す図である。
図３を参照して、端末装置２００は、全体を制御するための演算装置であるＣＰＵ２０と、メモリーとして機能する、ＣＰＵ２０で実行されるプログラムや各種情報などを記憶するためのＲＯＭ２１、およびＣＰＵ２０でプログラムを実行する際の作業領域として機能するためのＲＡＭ２２と、センサー２３と、情報を表示したり当該端末装置２００に対する操作入力を受け付けたりするためのタッチパネルを含んだ操作パネル２５と、ネットワーク３００を介した通信の制御するためのネットワークコントローラー２７とを含む。
【００３６】
操作パネル２５は、ＭＦＰ１００の操作パネル１５と同様の構成であってよい。すなわち、一例として、液晶表示装置などの表示装置と光学式タッチパネルや静電容量タッチパネルなどの位置指示装置とが重なって構成されたタッチパネルと、操作キーとを含む。
【００３７】
なお、端末装置２００の操作パネル２５は、表示装置と入力装置とを兼ねる装置の具体例である。たとえば端末装置が携帯電話機である場合には、操作パネル２５に替えて、ディスプレイとキー群とが備えられてもよい。
【００３８】
センサー２３は、後述するように、当該端末装置２００が片手で把持されているか両手で把持されているかの把持状況を検知するために用いられるセンサーである。たとえば、端末装置２００の両端に配された静電タッチセンサーや歪センサーや温度センサーや電極やボタンなどが該当する。センサー２３は、手などの接触を検知するとセンサー信号をＣＰＵ２０に対して入力する。ＣＰＵ２０は、センサー２３からのセンサー信号を解析することで、端末装置２００が片手で把持されているか両手で把持されているかの把持状況を検知する。
【００３９】
また、ＣＰＵ２０は予め記憶されている画面表示をさせるためのデータに基づいてタッチパネルに操作画面を表示させる。タッチパネルでは操作画面上の指示位置が特定され、その位置を示す操作信号がＣＰＵ２０に入力される。また、押下されたキーを示す操作信号がＣＰＵ２０に入力される。ＣＰＵ２０は押下されたキー、または表示している操作画面と指示位置とから操作内容を特定し、それに基づいて処理を実行する。
【００４０】
［第１の実施の形態］
＜動作概要＞
本実施の形態にかかる画像処理システムにおいては、ユーザーは、端末装置２００を用いてＭＦＰ１００の遠隔操作が可能である。このとき、端末装置２００にはＭＦＰ１００の操作画面が表示される。ユーザーは、その操作画面をＭＦＰ１００に対する操作と同様に操作することで、ＭＦＰ１００に対して指示命令を行なうことができる。この機能はリモートパネル機能とも呼ばれ、以降の説明では、端末装置２００を用いたＭＦＰ１００の遠隔操作を行なうための画像処理システムでの動作をリモートパネル動作とも称する。また、端末装置２００からＭＦＰ１００に対して操作画面を要求して接続することをリモートパネル接続とも称する。
【００４１】
（リモートパネル動作）
図４は、画像処理システムでのリモートパネル動作の流れを表わす図である。
【００４２】
図４を参照して、ステップＳ１でリモートパネル接続するにあたって、端末装置は、ＭＦＰに対して接続要求を行なう。ＭＦＰはその要求を確認し、たとえば予め接続が許可されている端末装置であるなど、接続が可能と判断すると、ステップＳ２で端末装置に対して接続完了通知を行なう。
【００４３】
続いて、ステップＳ３でＭＦＰは、端末装置に操作画面を表示させるための画面データ（以下、表示データとも称する）を生成し、ステップＳ４でその表示データを端末装置に対して送信する。
【００４４】
ステップＳ５で端末装置は、受信した表示データを用いて、ＭＦＰの操作画面を表示する。端末装置は、その操作画面に対してユーザーの操作入力を受け付けると、ステップＳ６で、指示された位置を表わす座標など操作入力に関する情報（タッチイベント）を特定し、ステップＳ７でその情報をＭＦＰに対して送信する。
【００４５】
ステップＳ８でＭＦＰは、受信したタッチイベントなどの情報に基づいて操作画面を更新（再作成）する。すなわち、ステップＳ８でＭＦＰは、先に送信した操作画面に対して端末装置からの操作入力に関する情報で特定される操作がなされた場合の処理内容を特定してその処理を実行し、その処理に伴って操作画面を更新する。そして、ステップＳ９でＭＦＰは、更新した表示データを端末装置に対して送信する。以降、この動作が繰り返されてリモートパネル動作が進行する。
【００４６】
（表示制御）
画像処理システムでは、上記したリモートパネル動作において、端末装置に表示される操作画面は、端末装置が片手で把持されているときと両手で把持されているときとで、異なる画面とするための表示制御が行なわれる。
【００４７】
図５は、第１の実施の形態にかかる表示制御を説明するための図である。ある操作画面について、「Ａ」で表わされた画面（第１の画面）と「ａ」で表わされた画面（第２の画面）とが関連付けられているものとする。第１の画面である画面Ａは、ＭＦＰの操作画面そのもの、またはその表示に近い画面であって、操作入力を行なう項目を含む操作画面である。第２の画面である画面ａは、画面Ａに関連した内容を表示する画面であって、画面Ａよりも操作入力を行なう項目の少ない、または操作入力を行なう項目が含まれていない画面である。
【００４８】
図５を参照して、端末装置が片手で把持されている場合、端末装置には画面Ａが表示される。この場合、端末装置を把持していない一方の手によって操作が可能であるため、操作入力を行なう項目が含まれている、ＭＦＰの操作画面と同様またはそれに近い操作画面を用いて、ＭＦＰの遠隔操作をすることが望まれる。
【００４９】
一方、端末装置が両手で把持されている場合、画面ａが表示される。この場合、いずれの手でも自由な操作が難しいため、操作入力を行なう項目が含まれていない、または、できるだけ少ない表示画面であって、設定内容などを確認する画面であることが望まれる。
【００５０】
さらに、端末装置が片手で把持されていて画面ａが表示されている状態において、両手で把持されるようになると、表示画面が画面Ａに切り替わる。逆に、端末装置が両手で把持されていて画面Ａが表示されている状態において、片手で把持されるようになると、表示画面が画面ａに切り替わる。
【００５１】
ＭＦＰの操作画面のうち、第１の画面と第２の画面とが関連付けられている操作画面では、上記のように把持状況に応じて表示が切り替わる。第１の画面と第２の画面とが関連付けられている特定の操作画面を「特定画面」とも称する。言い換えると、上記のリモートパネル動作において表示対象となった操作画面が特定画面であった場合には、端末装置の把持状況に応じて第１の画面か第２の画面かのいずれかが端末装置に表示されることになる。また、端末装置で特定画面が表示されている場合には、把持状況が変化すると、第１の画面と第２の画面との間で把持状況に応じて端末装置の表示が切り替わる。
【００５２】
図６〜図１６は、それぞれ、第１の画面である画面Ａおよび第２の画面である画面ａの組み合わせの具体例を表わした図である。
【００５３】
図６を参照して、第１の例として、画面Ａおよび画面ａの組み合わせは、文書プレビュー画面および全画面プレビュー画面が挙げられる。すなわち、片手での把持時には文書プレビュー画面が表示され、両手での把持時には全画面プレビュー画面が表示される。
【００５４】
文書プレビュー画面は、ＭＦＰでの文書プレビュー画面と概ね同じものであって、複数のページからなる文書の各ページのプレビューをページ送りやページ戻しなどの操作に従って順に表示したり、拡大や縮小の操作に従ってプレビュー表示を拡大したりする画面である。全画面プレビュー画面は、文書のうちの１ページのプレビューを表示画面のほぼ全体に表示する画面である。図６に表わされたように、拡大や縮小や当該画面を閉じることを指示するためのボタンが含まれていてもよいが、好ましくは、図６に表わされたように、その操作項目は両手で把持した状態で指の届く位置に配置される。
【００５５】
図７を参照して、第２の例として、画面Ａおよび画面ａの組み合わせは、ジョブ設定画面およびジョブ設定内容表示画面が挙げられる。すなわち、片手での把持時にはジョブ設定画面が表示され、両手での把持時にはジョブ設定内容表示画面が表示される。
【００５６】
ジョブ設定画面は、ＭＦＰでのジョブ設定画面と概ね同じものであって、ジョブごとに用紙サイズや原稿サイズや印刷方法や後処理などの設定を行なうための画面である。ジョブ設定内容表示画面は、設定中のジョブの設定内容を表示する画面である。図７に表わされたように、ジョブの切り替えや当該画面を閉じることを指示するためのボタンが含まれていてもよいが、好ましくは、図７に表わされたように、その操作項目は両手で把持した状態で指の届く位置に配置される。
【００５７】
図８を参照して、第３の例として、画面Ａおよび画面ａの組み合わせは、宛先設定画面および宛先設定内容表示画面が挙げられる。すなわち、片手での把持時には宛先設定画面が表示され、両手での把持時には宛先設定内容表示画面が表示される。
【００５８】
宛先設定画面は、ＭＦＰでの宛先設定画面と概ね同じものであって、数字キーや文字キーなどを用いてファクシミリなどの宛先を設定するための画面である。宛先設定内容表示画面は、設定した宛先一覧および設定内容を表示する画面である。図８に表わされたように、宛先ごとに詳細を表示させたり削除したりすることを指示するためのボタンが含まれていてもよいが、好ましくは、図８に表わされたように、その操作項目は両手で把持した状態で指の届く位置に配置される。
【００５９】
なお、図８の例の変形例として、図９に表わされたように、画面ａが宛先詳細画面であってもよい。すなわち、両手での把持時には宛先詳細画面が表示されてもよい。宛先詳細画面は設定された宛先についての詳細を表示する画面である。
【００６０】
図１０を参照して、第４の例として、画面Ａおよび画面ａの組み合わせは、ジョブリスト画面および選択ジョブの内容表示（ジョブ詳細）画面が挙げられる。すなわち、片手での把持時にはジョブリスト画面が表示され、両手での把持時には選択ジョブの内容表示（ジョブ詳細）画面が表示される。
【００６１】
ジョブリスト画面は、ＭＦＰでのジョブリスト画面と概ね同じものであって、ＭＦＰにて処理中または処理待ちのジョブの一覧や、ジョブごとに処理の指示や設定などを行なうための画面である。選択ジョブの内容表示（ジョブ詳細）画面は、選択されたジョブの内容を表示する画面である。
【００６２】
図１１を参照して、第５の例として、画面Ａおよび画面ａの組み合わせは、ジョブ履歴画面および選択ジョブ履歴の内容表示画面が挙げられる。すなわち、片手での把持時にはジョブ履歴画面が表示され、両手での把持時には選択ジョブ履歴の内容表示画面が表示される。
【００６３】
ジョブ履歴画面は、ＭＦＰでのジョブ履歴画面と概ね同じものであって、ＭＦＰにて処理終了したジョブの履歴の一覧や、ジョブ履歴ごとにそのジョブ再処理の指示や削除の指示などを行なうための画面である。選択ジョブ履歴の内容表示画面は、選択されたジョブ履歴の内容を表示する画面である。
【００６４】
図１２を参照して、第６の例として、画面Ａおよび画面ａの組み合わせは、記憶領域内文書（ボックス文書）画面および選択文書の設定内容表示画面が挙げられる。すなわち、片手での把持時にはボックス文書画面が表示され、両手での把持時には選択文書の設定内容表示画面が表示される。
【００６５】
記憶領域内文書（ボックス文書）画面は、ＭＦＰでのボックス文書画面と概ね同じものであって、ＭＦＰに用意されているボックスと呼ばれるユーザーやユーザーグループに関連付けられた特定の記憶領域に格納されている文書データの一覧や、文書データごとに印刷や送信などの処理の指示や削除の指示などを行なうための画面である。選択文書の設定内容表示画面は、選択された文書データの設定内容を表示する画面である。
【００６６】
なお、図１２の例の変形例として、図１３に表わされたように、画面ａが選択文書の詳細画面であってもよい。すなわち、両手での把持時には選択文書の詳細画面が表示されてもよい。選択文書の詳細画面は選択された文書データについての詳細を表示する画面である。
【００６７】
図１４を参照して、第７の例として、画面Ａおよび画面ａの組み合わせは、宛先選択画面および宛先設定内容表示画面が挙げられる。すなわち、片手での把持時には宛先選択画面が表示され、両手での把持時には宛先設定内容表示画面が表示される。
【００６８】
宛先選択画面は、ＭＦＰでの宛先選択画面と概ね同じものであって、ＭＦＰに登録されている宛先一覧の中から用いる宛先を選択するための画面である。宛先設定内容表示画面は図８に画面ａで表わされた画面と同じである。
【００６９】
なお、図１４の例の変形例として、図１５に表わされたように、画面ａが選択宛先詳細画面であってもよい。すなわち、両手での把持時には選択宛先詳細画面が表示されてもよい。宛先詳細画面は選択された宛先についての詳細を表示する画面である。
【００７０】
図１６を参照して、第８の例として、画面Ａおよび画面ａの組み合わせは、メンテナンス画面およびメンテナンス情報内容表示画面が挙げられる。すなわち、片手での把持時にはメンテナンス画面が表示され、両手での把持時にはメンテナンス情報内容表示画面が表示される。
【００７１】
メンテナンス画面は、ＭＦＰでのメンテナンス画面と概ね同じものであって、ＭＦＰに搭載されている消耗品ごとの残量のカウンターを表示したり、その内容を印刷したりするための画面である。メンテナンス情報内容表示画面は、選択された消耗品についてのカウンター発声の時系列表示画面など、カウンターデータなどのメンテナンス情報を可視化して表示する画面である。
【００７２】
＜機能構成＞
本実施の形態にかかる画像処処理システムでは、上記の表示制御を端末装置２００において行なうものとする。すなわち、端末装置２００は上記表示制御を行なう表示制御装置として機能する、または表示制御装置を搭載する。これは、以降の説明でも同様とする。
【００７３】
図１７は、表示制御装置としての端末装置２００、または、端末装置２００に搭載される表示制御装置が上記動作を行なうための機能構成の具体例を示すブロック図である。図１７の各機能は、端末装置２００のＣＰＵ２０が、ＲＯＭ２１に記憶されているリモートパネル動作における表示制御を行なうためのアプリケーションであるプログラムをＲＡＭ２２上に読み出して実行することによって、主にＣＰＵ２０によって実現される。しかしながら、少なくとも一部が、図３に表わされたハードウェア構成、またはその他の電気回路などによって実現されてもよい。
【００７４】
図１７を参照して、メモリーとして機能するＲＯＭ２１には、操作画面を表示するためのデータである表示データを記憶するための記憶領域である表示データ記憶部２１１が設けられる。
【００７５】
さらに図１７を参照して、ＣＰＵ２０は、端末装置２００が片手で把持されているか両手で把持されているかの把持状況を検知するための検知部２０１と、第１の判断として、表示対象の操作画面が、関連付けられた第１の画面と第２の画面とが表示データ記憶部２１１に記憶されている特定画面であるか否かを判断するための判断部２０２と、ネットワークコントローラー２７を介してＭＦＰ１００から表示データの入力を受け付け、入力された表示データを表示データ記憶部２１１に格納するためのデータ入力部２０３と、表示対象の操作画面の表示データを表示データ記憶部２１１から読み出すための読出部２０４と、表示データを用いて操作画面を表示装置である操作パネル２５に表示するための表示処理部２０５と、入力装置である操作パネル２５に対するユーザーの操作入力に従った操作信号の入力を受け付けるための指示入力部２０６と、座標情報などの操作入力に関する情報をネットワークコントローラー２７を介してＭＦＰ１００に対して送信するための送信部２０７とを含む。
【００７６】
読出部２０４は、表示対象の操作画面が特定画面であった場合に、把持状況に応じて、関連付けられた第１の画面と第２の画面とのうちのいずれか一方の画面の表示データを表示データ記憶部２１１から読み出す。すなわち、読出部２０４は、端末装置２００が片手で把持されていることが検知されたときには第１の画面の表示データを読み出し、両手で把持されていることが検知されたときには第２の画面の表示データを読み出す。表示データは表示処理部２０５に渡され、表示処理が行なわれる。そのため、表示処理部２０５は、特定画面を表示中に把持状況が変化すると、端末装置２００の表示を、第１の画面と第２の画面との間で把持状況に応じて切り替えることになる。
【００７７】
＜動作フロー＞
図１８は、第１の実施の形態にかかる表示制御の流れを表わすフローチャートである。端末装置２００のＣＰＵ２０は、端末装置２００のＲＯＭ２１に記憶されている表示制御を行なうためのアプリケーションを起動することによって、該アプリケーションである制御プログラムをＲＡＭ２２上に読み出して実行し、図１７の各機能を実現することによって、図１８のフローチャートに表わされた動作を実行する。
【００７８】
図１８を参照して、ＣＰＵ２０は上記アプリケーションを起動し、リモートパネル動作を開始する（ステップＳ１０１）。次に、ＣＰＵ２０は、端末装置２００の把持状況を検知して、片手で把持されているか両手で把持されているかを判断する（ステップＳ１０３）。
【００７９】
端末装置２００が両手で把持されている場合（ステップＳ１０３でＹＥＳ）、ＣＰＵ２０は、表示している操作画面が特定画面であるか否かを判断する（ステップＳ１０５）。ここでは、ＣＰＵ２０は、第１の画面と第２の画面とが関連付けられて記憶されているものであるか否かに基づいて特定画面であるか否かを判断する。
【００８０】
その結果、表示している操作画面が特定画面であった場合（ステップＳ１０５でＹＥＳ）、ＣＰＵ２０は、表示中の操作画面を両手で把持されているときの画面である第２の画面（画面ａ）に切り替える（ステップＳ１０７）。ＣＰＵ２０は、表示した画面に対するユーザーからの操作入力を受け付ける（ステップＳ１０９）。
【００８１】
ＣＰＵ２０は、リモートパネル動作の継続中は（ステップＳ１１１でＮＯ）、上記ステップＳ１０３〜Ｓ１０９を繰り返す。そして、ＣＰＵ２０は、リモートパネル動作が終了すると（ステップＳ１１１でＹＥＳ）、一連の動作を終了する。
【００８２】
＜第１の実施の形態の効果＞
表示制御装置としての端末装置２００において上記の表示制御が行なわれることで、リモートパネル動作において、特定画面が表示される際には端末装置２００の把持状況に応じて表示画面が自動的に切り替わる。すなわち、片手で把持しているときには操作用の画面が表示され、両手での把持に切り替わると、入力項目の含まれない、または少ない確認用の画面などに自動的に切り替わる。これにより、ユーザーに自然な操作性を提供することができ、操作効率を格段に向上させることができる。
【００８３】
＜変形例＞
なお、上の説明では、表示制御装置が端末装置２００に搭載されている、または、端末装置２００が表示制御装置として機能するものとしている。しかしながら、表示制御装置は画像処理システムのいずれに存在してもよい。すなわち、ＭＦＰ１００に表示制御装置が搭載、またはＭＦＰ１００が表示制御装置として機能してもよいし、ＭＦＰ１００および端末装置２００とは異なる別の装置として画像処理装置に表示制御装置が含まれてもよい。この変形例は、以降の実施の形態でも同様とする。
【００８４】
［第２の実施の形態］
＜動作概要＞
リモートパネル動作では、ＭＦＰが予め規定されている状態となったときに、その状態を報知するための画面（第３の画面）を表示する。予め規定されている状態を「特定の状態」とも称する。
【００８５】
「特定の状態」には、ＭＦＰが読み込み動作や印刷動作や送信、受信動作などの動作中である状態や、紙詰まりやトナー切れなどのトラブルが発生した状態などの、報知が必要な状態が該当する。第３の画面は、ＭＦＰの状態を報知するための画面であって、ＭＦＰの状態に関連付けられて予め用意されている。具体的には、第３の画面は、特定の状態が上記のような動作中である場合には読み取ったり印刷したりする画像のプレビュー画面や送受信先を表示する画面などが該当する。また、特定の状態が上記のようなトラブルが発生した状態である場合には、第３の画面には、トラブル解消のための情報を提示する画面などが該当する。
【００８６】
第２の実施の形態にかかる表示制御では、上記したリモートパネル動作において、端末装置が片手で把持されている場合、端末装置にはＭＦＰの操作画面が表示される。一方、端末装置が両手で把持されている場合であって、かつ、上記の特定の状態である場合、第３の画面が表示される。
【００８７】
さらに、端末装置が片手で把持されていて操作画面が表示されている状態において、両手で把持されるようになると、ＭＦＰが上記特定の状態であった場合には、表示画面が第３の画面に切り替わる。逆に、ＭＦＰが上記特定の状態であって端末装置が両手で把持されていて第３の画面が表示されている状態において、片手で把持されるようになると、表示画面が操作画面に切り替わる。
【００８８】
＜機能構成＞
表示制御装置としての端末装置２００、または、端末装置２００に搭載される表示制御装置が上記動作を行なうための機能構成は、図１７のブロック図で表された機能構成と同様である。
【００８９】
第２の実施の形態にかかる端末装置２００では、表示データ記憶部２１１に、ＭＦＰ１００の特定の状態に関連付けられた、当該状態を報知するための画面である第３の画面の表示データが記憶されている。第３の画面の表示データは、予め表示データ記憶部２１１に記憶されているものであってもよいし、端末装置２００がＭＦＰ１００に対して要求することでＭＦＰ１００からデータ入力部２０３が受け付けて、表示データ記憶部２１１に格納されるものであってもよい。また、ＭＦＰ１００から自身の状態に応じて送信されてくるものであってもよい。
【００９０】
判断部２０２は、第２の判断として、ＭＦＰ１００の状態が特定の状態であるか否かを判断する。この判断の結果は、一定の間隔など所定のタイミングで端末装置２００がＭＦＰ１００に対して問い合わせ、その応答を解析することで得られてもよい。または、この判断の結果は、上記のように、ＭＦＰ１００から自身の状態に応じて表示データが送られてくることで、その表示データの受信を特定の状態の通知として検知することで得られてもよい。
【００９１】
読出部２０４は、ＭＦＰ１００が特定の状態であった場合に、端末装置２００の把持状況に応じて、操作画面と第３の画面とのうちのいずれか一方の画面の表示データを表示データ記憶部２１１から読み出す。すなわち、読出部２０４は、端末装置２００が片手で把持されていることが検知されたときには操作画面の表示データを読み出し、端末装置２００が両手で把持され、かつ、ＭＦＰ１００が特定の状態であるときには第３の画面の表示データを読み出す。表示データは表示処理部２０５に渡され、表示処理が行なわれる。そのため、表示処理部２０５は、ＭＦＰ１００の操作画面を端末装置２００に表示中であり、かつ、ＭＦＰ１００が特定の状態であるときに把持状況が変化すると、端末装置２００の表示を、ＭＦＰ１００の操作画面と第３の画面との間で把持状況に応じて切り替えることになる。
【００９２】
＜動作フロー＞
図１９は、第２の実施の形態にかかる表示制御の流れを表わすフローチャートである。端末装置２００のＣＰＵ２０は、端末装置２００のＲＯＭ２１に記憶されている表示制御を行なうためのアプリケーションを起動することによって、該アプリケーションである制御プログラムをＲＡＭ２２上に読み出して実行し、図１７の各機能を実現することによって、図１９のフローチャートに表わされた動作を実行する。
【００９３】
図１９を参照して、ＣＰＵ２０は上記アプリケーションを起動し、リモートパネル動作を開始する（ステップＳ２０１）。次に、ＣＰＵ２０は、端末装置２００の把持状況を検知して、片手で把持されているか両手で把持されているかを判断する（ステップＳ２０３）。
【００９４】
端末装置２００が両手で把持されている場合（ステップＳ２０３でＹＥＳ）、ＣＰＵ２０は、ＭＦＰ１００が特定の状態であるか否かを判断する（ステップＳ２０５）。ここでは、ＣＰＵ２０は、ＭＦＰ１００に状態を問い合わせてもよいし、ＭＦＰ１００からの通知を解析することで判断してもよい。
【００９５】
その結果、ＭＦＰ１００が特定の状態であった場合（ステップＳ２０５でＹＥＳ）、ＣＰＵ２０は、表示中の操作画面をＭＦＰ１００の状態を通知するための画面である第３の画面に切り替える（ステップＳ２０７）。ＣＰＵ２０は、表示した画面に対するユーザーからの操作入力を受け付ける（ステップＳ２０９）。
【００９６】
ＣＰＵ２０は、リモートパネル動作の継続中は（ステップＳ２１１でＮＯ）、上記ステップＳ２０３〜Ｓ２０９を繰り返す。そして、ＣＰＵ２０は、リモートパネル動作が終了すると（ステップＳ２１１でＹＥＳ）、一連の動作を終了する。
【００９７】
なお、上記の動作の後、ＭＦＰ１００の特定の状態が通常の状態に戻ったときには、端末装置２００の表示も元の表示に戻すようにしてもよい。この場合の動作の流れを図２０に示す。
【００９８】
すなわち、図２０を参照して、上記ステップＳ２０７で端末装置２００の表示を第３の画面に切り替えた後、ＭＦＰ１００が上記の特定の状態ではなくなったか否かを判断する（ステップＳ２１３）。その結果、ＭＦＰ１００が特定の状態ではなくなった場合（ステップＳ２１３でＹＥＳ）、ＣＰＵ２０は、表示中の第３の画面を元の操作画面に戻す（ステップＳ２１５）。以降、同様に、ＣＰＵ２０は表示した画面に対するユーザーからの操作入力を受け付け（ステップＳ２１７）、リモートパネル動作の継続中は（ステップＳ２１９でＮＯ）、上記ステップＳ２０３〜Ｓ２１７を繰り返す。そして、ＣＰＵ２０は、リモートパネル動作が終了すると（ステップＳ２１９でＹＥＳ）、一連の動作を終了する。
【００９９】
＜第２の実施の形態の効果＞
表示制御装置としての端末装置２００において上記の表示制御が行なわれることで、リモートパネル動作において、ＭＦＰ１００が通知を要する特定の状態となった場合には端末装置２００の把持状況に応じて表示画面が自動的に切り替わる。すなわち、片手で把持しているときには操作用の画面が表示され、両手での把持に切り替わると、上記状態を報知するための画面に自動的に切り替わる。
【０１００】
たとえば、ユーザーが端末装置２００を片手で把持して読み込み動作を指示する操作を行なった後、両手での把持に切り替えると、ＭＦＰ１００で原稿読み込み動作が開始し、読み込み動作中の状態であるときに端末装置２００には、図２１のような、読み込まれた原稿をプレビュー表示する、読み込み動作を報知するための第３の画面が表示される。
【０１０１】
また、ユーザーが端末装置２００を片手で把持して何らかの操作を行なった後、両手での把持に切り替えると、ＭＦＰ１００に消耗品（図の例ではステープル針）が不足するトラブルが生じている場合には、図２２のような、その旨やその解消手順を表示するための第３の画面が表示される。図２２のように、第３の画面は、トラブルの解消手順をアニメーションで報知する画面であってもよい。
【０１０２】
これにより、ユーザーに自然な操作性を提供することができ、操作効率を格段に向上させることができる。
【０１０３】
［第３の実施の形態］
＜動作概要＞
上記した、第１の実施の形態にかかる表示制御と第２の実施の形態にかかる表示制御とが組み合わされてもよい。すなわち、第３の実施の形態にかかる表示制御として、端末装置の把持状況に応じて、表示対象の操作画面が特定画面であるか否か、また、ＭＦＰの状態が特定の状態であるか否か、に応じて表示画面が切り替わってもよい。
【０１０４】
＜機能構成＞
第３の実施の形態にかかる表示制御を行なうための機能構成として、端末装置２００の判断部２０２は、上記した第１の判断である、表示対象の操作画面が特定画面であるか否かの判断と、第２の判断である、ＭＦＰ１００の状態が特定の状態であるか否かの判断との両方の判断を行なう。
【０１０５】
読出部２０４は、表示対象の操作画面が特定画面である場合、端末装置２００が片手で把持されていることが検知されたときには第１の画面の表示データを読み出し、両手で把持されていることが検知されたときには第２の画面の表示データを読み出す。また、読出部２０４は、ＭＦＰ１００が特定の状態であった場合に、端末装置２００が両手で把持されているときには第３の画面の表示データを読み出す。
【０１０６】
表示対象の操作画面が特定画面であり、かつ、ＭＦＰ１００が特定の状態であった場合に端末装置２００が両手で把持されていることが検知されたとき、読出部２０４は、第２の画面の表示データと第３の画面の表示データとのいずれを読み出すことも考えられる。この場合、いずれの画面を優先して読み出すか、すなわち、特定画面に対応した画面表示への切り替えを優先するか特定の状態に対応した画面表示への切り替えを優先するかを予め設定しておいてもよいし、いずれを優先するかを決定するためのルールを予め設定しておいてそのルールに従って都度、決定されてもよい。
【０１０７】
＜動作フロー＞
図２３〜図２５は、それぞれ、第３の実施の形態にかかる表示制御の流れを表わすフローチャートである。図２３は特定画面に対応した画面表示への切り替えを優先する場合の動作の流れを表わし、図２４は特定の状態に対応した画面表示への切り替えを優先する場合の動作の流れを表わし、図２５はその都度いずれを優先するかを決定する場合の動作の流れを表わしている。
【０１０８】
すなわち、特定画面に対応した画面表示への切り替えを優先する場合、図２３を参照して、ＣＰＵ２０は上記アプリケーションを起動し、リモートパネル動作を開始する（ステップＳ３０１）。次に、ＣＰＵ２０は、端末装置２００の把持状況を検知して、片手で把持されているか両手で把持されているかを判断する（ステップＳ３０３）。
【０１０９】
端末装置２００が両手で把持されている場合（ステップＳ３０３でＹＥＳ）、ＣＰＵ２０は、表示している操作画面が特定画面であるか否かを判断する（ステップＳ３０５）。また、ＣＰＵ２０は、さらに、ＭＦＰ１００が特定の状態であるか否かを判断する（ステップＳ３０７，Ｓ３１１）。
【０１１０】
その結果、表示している操作画面が特定画面であった場合には（ステップＳ３０５でＹＥＳ）、ＭＦＰ１００が特定の状態であってもなくても（ステップＳ３０７でＹＥＳ、ＮＯいずれも）、表示中の操作画面を両手で把持されているときの画面である第２の画面に切り替える（ステップＳ３０９）。
【０１１１】
一方、表示している操作画面が特定画面でない場合には（ステップＳ３０５でＮＯ）、ＭＦＰ１００が特定の状態であった場合には（ステップＳ３１１でＹＥＳ）、ＣＰＵ２０は、表示中の操作画面をＭＦＰ１００の状態を通知するための画面である第３の画面に切り替える（ステップＳ３１３）。ＭＦＰ１００が特定の状態でない場合には（ステップＳ３１１でＮＯ）、ＣＰＵ２０は表示の切り替えを行なわずに、表示中の画面を継続する。
【０１１２】
以降、同様に、ＣＰＵ２０は表示した画面に対するユーザーからの操作入力を受け付け（ステップＳ３１５）、リモートパネル動作の継続中は（ステップＳ３１７でＮＯ）、上記ステップＳ３０３〜Ｓ３１５を繰り返す。そして、ＣＰＵ２０は、リモートパネル動作が終了すると（ステップＳ３１７でＹＥＳ）、一連の動作を終了する。
【０１１３】
特定の状態に対応した画面表示への切り替えを優先する場合、図２４を参照して、ＭＦＰ１００が特定の状態であった場合には（ステップＳ３０７でＹＥＳ、ステップＳ３１１でＹＥＳ）、表示している操作画面が特定画面であってもなくても（ステップＳ３０５でＹＥＳ、ＮＯいずれも）、ＣＰＵ２０は、表示中の操作画面をＭＦＰ１００の状態を通知するための画面である第３の画面に切り替える（ステップＳ３０９’、ステップＳ３１３）。
【０１１４】
一方、ＭＦＰ１００が特定の状態でない場合には、表示している操作画面が特定画面である場合には（ステップＳ３０５でＹＥＳ、かつステップＳ３０７でＮＯ）、ＣＰＵ２０は表示中の操作画面を両手で把持されているときの画面である第２の画面に切り替え（ステップＳ３０８）、表示している操作画面が特定画面でない場合には（ステップＳ３０５でＮＯ、かつステップＳ３１１でＮＯ）、ＣＰＵ２０は表示の切り替えを行なわずに、表示中の画面を継続する。
【０１１５】
その都度、いずれを優先するかを決定する場合、図２５を参照して、表示している操作画面が特定画面であり（ステップＳ３０５でＹＥＳ）、かつ、ＭＦＰ１００が特定の状態であった場合（ステップＳ３０７でＹＥＳ）、ＣＰＵ２０は、設定されているルールを確認して、特定画面に対応した画面表示へ切り替えるか、特定の状態に対応した画面表示へ切り替えるかを判断する（ステップＳ４０１）。
【０１１６】
その結果、特定画面に対応した画面表示へ切り替えることが設定されていると判断した場合（ステップＳ４０１でＹＥＳ）、ＣＰＵ２０は、表示中の操作画面を両手で把持されているときの画面である第２の画面に切り替える（ステップＳ４０３）。そうでない場合には（ステップＳ４０１でＮＯ）、ＣＰＵ２０は、表示中の操作画面をＭＦＰ１００の状態を通知するための画面である第３の画面に切り替える（ステップＳ４０５）。
【０１１７】
なお、端末装置２００の把持状況に応じて表示画面を切り替えるか否かを、操作画面ごとに設定可能としておいてもよい。この設定は、たとえば図２６に表わされたように、操作画面ごとに切り替えのＯＮ／ＯＦＦを設定するための設定ボタン２５１等の手段を設けて、ユーザーの操作入力に基づいてなされてもよい。ＣＰＵ２０は、表示している操作画面に対して上記手段によって切り替えＯＦＦが設定されると、その操作画面に関連付けて（たとえばフラグなどを用いて）切り替えＯＦＦを記憶しておき、その操作画面表示中に切り替えの条件を満たした場合であっても、表示を切り替えない。
【０１１８】
図２７は、この場合の表示制御の流れを表わしたフローチャートである。すなわち、図２７を参照して、この場合、ＰＣＵ２０は、リモートパネル動作を開始して（ステップＳ５０１）、端末装置２００の把持状況が両手で把持されていると検知した場合であっても（ステップＳ５０３でＹＥＳ）、切り替えＯＦＦが設定されていない場合に（ステップＳ５０５でＮＯ）ＣＰＵ２０は表示を切り替え（ステップＳ５０７）、表示している操作画面について切り替えＯＦＦと設定されている場合には（ステップＳ５０５でＹＥＳ）、表示画面の切り替え（ステップＳ５０７）を行なうことなく、その表示を継続する。
【０１１９】
または、端末装置２００の把持状況に応じて表示画面を切り替えるか否かを、一括して設定可能としておいてもよい。さらに、特定画面に対応した画面表示への切り替えと、特定の状態に対応した画面表示への切り替えとを、個別に設定可能としてもよい。この設定は、たとえば図２８に表わされたように、画面表示の切り替えを設定するための画面において特定画面に対応した画面表示への切り替えと特定の状態に対応した画面表示への切り替えとのそれぞれについてのＯＮ／ＯＦＦを設定するようにしてよい。ＣＰＵ２０は、各切り替えについての設定を記憶しておき、その操作画面表示中に切り替えの条件を満たした場合であっても、切り替えＯＦＦと設定されている場合には表示を切り替えない。
【０１２０】
図２９は、この場合の表示制御の流れを表わしたフローチャートである。すなわち、図２９を参照して、この場合、ＰＣＵ２０は、リモートパネル動作を開始して（ステップＳ６０１）、端末装置２００の把持状況が両手で把持されていると検知した場合であっても（ステップＳ６０３でＹＥＳ）、切り替えが一括してＯＦＦと設定されていない場合には（ステップＳ６０５でＮＯ）ＣＰＵ２０は表示を切り替え（ステップＳ６０７）、切り替えが一括してＯＦＦと設定されている場合には（ステップＳ６０５でＹＥＳ）、表示画面の切り替え（ステップＳ６０７）を行なうことなく、その表示を継続する。なお、この場合には、ＣＰＵ２０は、把持状況の検知自体を行なわないようにしてもよい。
【０１２１】
＜第３の実施の形態の効果＞
表示制御装置としての端末装置２００において上記の表示制御が行なわれることで、リモートパネル動作において、特定画面が表示されている場合、および／または、ＭＦＰ１００が通知を要する特定の状態となった場合には、端末装置２００の把持状況に応じて表示画面が自動的に切り替わる。これにより、ユーザーに自然な操作性を提供することができ、操作効率を格段に向上させることができる。
【０１２２】
［その他の説明］
（ＭＦＰでの動作）
表示データは、一例として、表示のタイミングでＭＦＰ１００にて生成され、端末装置２００に送信される。図３０および図３１は、ＭＦＰ１００での表示データを送信する動作の流れを表わすフローチャートである。図３０は特定画面の表示データを送信する動作を表わし、図３１は特定の状態を報知するための画面の表示データを送信するための動作を表わしている。これらフローチャートに表わされる動作は、ＭＦＰ１００のＣＰＵ１０がＲＯＭ２１に記憶されているリモートパネル動作を行なうためのアプリケーションであるプログラムをＲＡＭ１２上に読み出して実行することによって、主にＣＰＵ１０によって実現される。しかしながら、少なくとも一部が、図２に表わされたハードウェア構成、またはその他の電気回路などによって実現されてもよい。
【０１２３】
図３０を参照して、ステップＳ７０１でリモートパネル動作が開始すると、ＣＰＵ１０は、端末装置２００からの操作入力に関する情報に基づいて処理を行なって操作画面を更新する必要があるか否かを判断する（ステップＳ７０３）。
【０１２４】
その結果、画面遷移の必要が生じると（ステップＳ７０３でＹＥＳ）、ＣＰＵ１０は、遷移先の操作画面が特定画面であるか否かを判断する（ステップＳ７０５）。遷移先の操作画面が特定画面である場合（ステップＳ７０５でＹＥＳ）、ＣＰＵ１０は、特定画面用の第１の画面の表示データを生成すると共に（ステップＳ７０７）、関連付けられている第２の画面の表示データも生成する（ステップＳ７０９）。
【０１２５】
第１の画面と第２の画面とは、予めＲＯＭ１１などのメモリーに記憶されており、ＣＰＵ１０は、その画面から端末装置２００の特定を用いるなどして端末装置２００の表示データを生成してもよい。または、操作パネル１５に表示するための操作画面（特定画面）のデータを用いて第１の画面を生成した上でその表示データを生成し、さらに、その第１の画面を簡易化するなどして第２の画面を生成した上でその表示データを生成するようにしてもよい。
【０１２６】
ＣＰＵ１０は、両表示データを関連付けて、端末装置２００に対して送信する（ステップＳ７１１、ステップＳ７１３）。
【０１２７】
遷移先の操作画面が特定画面でない場合には（ステップＳ７０５でＮＯ）、ＣＰＵ１０は、操作画面の表示データを生成し（ステップＳ７１５）、端末装置２００に対して送信する（ステップＳ７１７）。
【０１２８】
ＣＰＵ１０が以上の動作をリモートパネル動作が終了するまで繰り返すことで、リモートパネル動作に伴って操作画面の表示データがＭＦＰ１００から端末装置２００に送信されることになる。
【０１２９】
図３１を参照して、ステップＳ８０１でリモートパネル動作が開始すると、ＣＰＵ１０は、当該ＭＦＰ１００が特定の状態であるか否かを判断する（ステップＳ８０３）。ＭＦＰ１００が特定の状態である場合（ステップＳ８０３でＹＥＳ）、その状態を報知するための画面である第３の画面の表示データを生成し（ステップＳ８０５）、端末装置２００に対して送信する（ステップＳ８０７）。
【０１３０】
ＣＰＵ１０が以上の動作をリモートパネル動作が終了するまで繰り返すことで、リモートパネル動作中に特定の状態となった場合に、その状態を報知するための第３の画面の表示データがＭＦＰ１００から端末装置２００に送信されることになる。また、この例のように、ＭＦＰ１００が特定の状態となった際に第３の画面の表示データを端末装置２００に対して送信するようにすることで、ＭＦＰ１００から端末装置２００に対して、特定の状態となったことが通知されることにもなる。
【０１３１】
第３の実施の形態のように、ＭＦＰ１００でも図３０の動作と図３１の動作とを組み合わせてもよい。すなわち、図３２を参照して、ステップＳ９０１でリモートパネル動作が開始すると、ＣＰＵ１０は、端末装置２００からの操作入力に関する情報に基づいて処理を行なって操作画面を更新する必要があるか否かを判断する（ステップＳ９０３）。
【０１３２】
その結果、画面遷移の必要が生じると（ステップＳ９０３でＹＥＳ）、ＣＰＵ１０は、遷移先の操作画面が特定画面であるか否かを判断する（ステップＳ９０５）。また、ＣＰＵ１０は、当該ＭＦＰ１００が特定の状態であるか否かを判断する（ステップＳ９０７）。
【０１３３】
遷移先の操作画面が特定画面であり、かつ、ＭＦＰ１００が特定の状態ではない場合（ステップＳ９０５でＹＥＳ、かつ、ステップＳ９０７でＮＯ）、ＣＰＵ１０は、特定画面用の第１の画面の表示データを生成すると共に（ステップＳ９０９）、関連付けられている第２の画面の表示データも生成する（ステップＳ９１１）。そして、ＣＰＵ１０は、両表示データを関連付けて、端末装置２００に対して送信する（ステップＳ９１３、ステップＳ９１５）。
【０１３４】
遷移先の操作画面が特定画面であり、かつ、ＭＦＰ１００が特定の状態である場合（ステップＳ９０５でＹＥＳ、かつ、ステップＳ９０７でＹＥＳ）、ＣＰＵ１０は、特定画面用の第１の画面の表示データおよび第２の画面の表示データを生成すると共に（ステップＳ９１７、ステップＳ９１９）、第３の画面の表示データを生成する（ステップＳ９２１）。そして、ＣＰＵ１０は、これらの表示データを端末装置２００に対して送信する（ステップＳ９２３〜Ｓ９２７）。
【０１３５】
遷移先の操作画面が特定画面ではなく、かつ、ＭＦＰ１００が特定の状態である場合（ステップＳ９０５でＮＯ、かつ、ステップＳ９２９でＹＥＳ）、ＣＰＵ１０は、操作画面の表示データおよび第３の画面の表示データを生成する（ステップＳ９３１、ステップＳ９３３）。そして、ＣＰＵ１０は、これらの表示データを端末装置２００に対して送信する（ステップＳ９３５、ステップＳ９３７）。
【０１３６】
遷移先の操作画面が特定画面ではなく、かつ、ＭＦＰ１００が特定の状態ではない場合（ステップＳ９０５でＮＯ、かつ、ステップＳ９２９でＮＯ）、ＣＰＵ１０は、操作画面の表示データを生成し（ステップＳ９３９）、端末装置２００に対して送信する（ステップＳ９４１）。
【０１３７】
（端末装置での表示の切り替え）
端末装置２００のＣＰＵ２０は、先述のように、特定画面の表示中に、把持状態やＭＦＰの状態に応じて表示画面を切り替える。図３３は、ＣＰＵ２０が端末装置２００の表示を切り替える動作の流れを表わしたフローチャートである。
【０１３８】
図３３を参照して、ステップＳ１１０１でリモートパネル動作が開始すると、ＣＰＵ２０は、把持状況を検知して、片手で把持されている場合には（ステップＳ１１０３でＹＥＳ）、第２の画面の表示データを読み出して、第２の画面を表示する（ステップＳ１１０５）。
【０１３９】
両手で把持されている場合であって、ＭＦＰ１００が特定の状態である場合には（ステップＳ１１０３でＮＯ、かつ、ステップＳ１１０７でＹＥＳ）、ＣＰＵ２０は、第１の画面の表示データまたは第３の画面の表示データを読み出して、いずれかの画面を表示する（ステップＳ１１０９）。
【０１４０】
両手で把持されている場合であって、ＭＦＰ１００が特定の状態でない場合には（ステップＳ１１０３でＮＯ、かつ、ステップＳ１１０７でＮＯ）、ＣＰＵ２０は、第１の画面の表示データを読み出して、第１の画面を表示する（ステップＳ１１１１）。
【０１４１】
なお、このとき、ＣＰＵ２０は、把持状態による表示の切り替えの要否を、先の切り替えからの時間経過に基づいて判断するようにしてもよい。すなわち、ＣＰＵ２０は、図３３で表わされた切り替える動作を行なう最短の時間間隔を一定時間として記憶しておき、先の切り替えからの経過時間が上記一定時間よりも長い場合には切り替える動作（判断）を行ない、短い場合には切り替える動作（判断）を行なわないようにしてもよい。
【０１４２】
上記一定時間は、たとえば図３４に表わされたような設定画面によって、ユーザーの操作入力に従って設定可能であってもよい。または、予め規定されていてもよい。
【０１４３】
図３５を参照して、把持状態が片手での把持から両手への把持に切り替わってから一定時間経過後に片手への把持に切り替わった場合、ＣＰＵ２０は、片手への把持に切り替わったタイミングで、表示の切り替えの要否を判断する。
【０１４４】
一方、把持状態が片手での把持から両手への把持に切り替わってから一定時間が経過するよりも以前に把持状態が切り替わった場合、ＣＰＵ２０は、その切り替わりによって表示の切り替えの要否を判断しない。これは、たとえば物が当たったり、極めて短い時間把持状態を変化させたりした場合が想定され、その都度表示が切り替わるとユーザーは表示を視認し難くなり、操作性の妨げとなる場合があるからである。そこで、この場合、ＣＰＵ２０は、上記一定時間が経過した後の把持状態で表示の切り替えの要否を判断する。図３５の例の場合には、一定時間が経過した後は、先の把持状態から変化しているため、そのタイミングで表示が切り替わることになる。
【０１４５】
図３６は、この場合の端末装置２００の表示を切り替える動作の流れを表わしたフローチャートである。すなわち、図３６を参照して、ＣＰＵ２０は、先に、把持状態の変化を検知して（ステップＳ１２０１でＹＥＳ）、その把持状態に応じて表示画面を切り替えると（ステップＳ１２０３）、そのタイミングで計時を開始する。そして、ＣＰＵ２０は、次に把持状態の変化が検知されたときに（ステップＳ１２０５）、先の表示の切り替えから一定時間が経過しているか否かを判断する（ステップＳ１２０７）。その結果、一定時間が経過していない場合には（ステップＳ１２０７でＮＯ）ＣＰＵ２０は表示画面を切り替えることをせず、一定時間が経過している場合にのみ（ステップＳ１２０７でＹＥＳ）、表示画面を切り替える（ステップＳ１２０９）。
【０１４６】
（端末装置での表示データの更新）
先述のように、ＭＦＰ１００は操作画面を更新するタイミングで特定画面である場合には第１の画面の表示データと第２の画面の表示データとを端末装置２００に対して送信する。端末装置２００にはそれら表示データが記憶（蓄積）され、把持状態に応じてその表示データを用いて表示が切り替わることになる。
【０１４７】
操作項目を含んだ第１の画面に対してユーザーによって操作入力がなされてその画面の表示が更新されることになると、関連付けられている第２の画面も更新が必要となる場合がある。しかしながら、蓄積されている第２の画面の表示データにはその更新が反映されていないために、第１の画面の操作中に把持状態が変化して第２の画面に切り替わる際に、蓄積されている表示データを用いると第１の画面と第２の画面とで表示が一致しない場合が生じる。
【０１４８】
そこで、端末装置２００は、第１の画面に対してユーザーによる操作入力があった場合、ＭＦＰ１００に対して、蓄積している第２の画面の表示データの更新を要求するようにしてもよい。図３７は、その場合の画像処理システムでの動作の流れを表わすフローチャートである。
【０１４９】
図３７を参照して、ステップＳ１３０１で端末装置２００のＣＰＵ２０がＭＦＰ１００から表示データを受信し、ステップＳ１３０３でその表示データに基づいた第１の画面を表示する。ステップＳ１３０５で第１の画面に対するユーザーの操作入力を受け付けると、ＭＦＰ１００がトラブル発生状態などの特定の状態でない場合には（ステップＳ１３０７でＮＯ）、端末装置２００のＣＰＵ２０は、ユーザーによる操作入力に関する情報をＭＦＰ１００に対して送信すると共に、第１の画面の更新を要求する（ステップＳ１３０９）。このとき、端末装置２００に第２の画面の表示データがすでに記憶（蓄積）されている場合（ステップＳ１３１１でＹＥＳ）、ＣＰＵ２０は、第２の画面についてもＭＦＰ１００に対して更新を要求する（ステップＳ１３１３）。
【０１５０】
この要求を受けて、ＭＦＰ１００のＣＰＵ１０は、更新後の第１の画面および第２の画面の表示データを作成し（ステップＳ１３１５）、その表示データを端末装置２００に対して送信する（ステップＳ１３１７）。このとき、第１の画面および第２の画面の少なくとも一方について更新の必要がない場合には、ＣＰＵ１０は表示データの作成および送信を行なわないようにしてもよい。
【０１５１】
（他の例）
さらに、上述の表示制御を、端末装置２００のＣＰＵ２０や、ＭＦＰ１００のＣＰＵ１０や、図示しない他の装置のＣＰＵに実行させて表示制御装置として機能させるためのプログラム（アプリケーション）を提供することもできる。このようなプログラムは、コンピューターに付属するフレキシブルディスク、ＣＤ−ＲＯＭ（Compact  Disk-Read  Only  Memory）、ＲＯＭ、ＲＡＭおよびメモリカードなどのコンピューター読取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【０１５２】
なお、本発明にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１５３】
また、本発明にかかるプログラムは、リモートパネル動作実行のプログラムなどの他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１５４】
提供されるプログラム製品は、ハードディスクなどのプログラム格納部にインストールされて実行される。なお、プログラム製品は、プログラム自体と、プログラムが記録された記録媒体とを含む。
【０１５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５６】
１０，２０  ＣＰＵ、１１，２１  ＲＯＭ、１２，２２  ＲＡＭ、１３  スキャナー、１４  プリンター、１５，２５  操作パネル、１７，２７  ネットワークコントローラー、２３  センサー、１００  ＭＦＰ、２００  端末装置、２０１  検知部、２０２  判断部、２０３  データ入力部、２０４  読出部、２０５  表示処理部、２０６  指示入力部、２０７  送信部、２１１  表示データ記憶部、２５１  設定ボタン、３００  ネットワーク。
【図１】
2014138235.tif 000003
【図２】
2014138235.tif 000004
【図３】
2014138235.tif 000005
【図４】
2014138235.tif 000006
【図５】
2014138235.tif 000007
【図６】
2014138235.tif 000008
【図７】
2014138235.tif 000009
【図８】
2014138235.tif 000010
【図９】
2014138235.tif 000011
【図１０】
2014138235.tif 000012
【図１１】
2014138235.tif 000013
【図１２】
2014138235.tif 000014
【図１３】
2014138235.tif 000015
【図１４】
2014138235.tif 000016
【図１５】
2014138235.tif 000017
【図１６】
2014138235.tif 000018
【図１７】
2014138235.tif 000019
【図１８】
2014138235.tif 000020
【図１９】
2014138235.tif 000021
【図２０】
2014138235.tif 000022
【図２１】
2014138235.tif 000023
【図２２】
2014138235.tif 000024
【図２３】
2014138235.tif 000025
【図２４】
2014138235.tif 000026
【図２５】
2014138235.tif 000027
【図２６】
2014138235.tif 000028
【図２７】
2014138235.tif 000029
【図２８】
2014138235.tif 000030
【図２９】
2014138235.tif 000031
【図３０】
2014138235.tif 000032
【図３１】
2014138235.tif 000033
【図３２】
2014138235.tif 000034
【図３３】
2014138235.tif 000035
【図３４】
2014138235.tif 000036
【図３５】
2014138235.tif 000037
【図３６】
2014138235.tif 000038
【図３７】
2014138235.tif 000039